(57)【特許請求の範囲】
【請求項１】
第１筐体と、
前記第１筐体と相対的に移動可能に連結された第２筐体と、
前記第２筐体は、前記第１筐体との重なる面に第１部分と第２部分とを有し、前記第１部分が表出する第１の形状と、前記第２部分が表出する第２の形状とに形状を変化可能であり、
前記第１の形状および前記第２の形状のいずれの形状であるかを検出する形状検出手段と、
第１通信手段と、
前記第１通信手段とは通信方式が異なり、電源が投入されている間は着信を受け付けることが可能な第２通信手段と、
前記形状検出手段により検出された形状に基づいて、前記第１通信手段を用いて通信する第１通信モードと、前記第２通信手段を用いて通信する第２通信モードとのいずれかのモードに切り換えるモード切換手段と、
前記第１通信モードにおいて前記第１通信手段を介して通話に関する着信を受け付けた場合は、第１の着信情報を表示し、前記第１通信モードにおいて前記第２通信手段を介して通話に関する着信を受け付けた場合は、前記第１の着信情報とは異なる第２の着信情報を表示する表示制御手段と、を備えた携帯情報端末。
【請求項２】
前記第１部分は、文字を入力するための複数のボタンを有する、請求項１に記載の携帯情報端末。
【請求項３】
ユーザによる操作を受け付ける操作受付手段と、
イヤホンマイクと接続される接続端子と、をさらに備え、
前記モード切換手段は、前記第１の形状が検出されている場合、前記接続端子にイヤホンマイクが接続されているときは前記操作受付手段により受け付けられたモードに切り換え、イヤホンマイクが接続されていないときは前記第１通信モードに切り換える、請求項１に記載の携帯情報端末。
【請求項４】
前記モード切換手段により前記第２通信モードに切り換えられている場合は、前記第１通信手段の駆動を禁止する駆動制御手段をさらに備えた、請求項１に記載の携帯情報端末。
【請求項５】
第１筐体と、
前記第１筐体と相対的に移動可能に連結された第２筐体と、
前記第２筐体は、前記第１筐体との重なる面に第１部分と第２部分とを有し、前記第１部分が表出する第１の形状と、前記第２部分が表出する第２の形状とに形状を変化可能であり、
第１通信手段と、
前記第１通信手段とは通信方式が異なり、電源が投入されている間は着信を受け付けることが可能な第２通信手段と、を備えた携帯情報端末で実行される表示制御方法であって、
前記形状検出手段により検出された形状に基づいて、前記第１通信手段を用いて通信する第１通信モードと、前記第２通信手段を用いて通信する第２通信モードとのいずれかのモードに切り換えるモード切換ステップと、
前記第１通信モードにおいて前記第１通信手段を介して通話に関する着信を受け付けた場合は、第１の着信情報を表示し、前記第１通信モードにおいて前記第２通信手段を介して通話に関する着信を受け付けた場合は、前記第１の着信情報とは異なる第２の着信情報を表示する表示制御ステップと、を含む通信制御方法。
【発明の詳細な説明】
【技術分野】
【０００１】
この発明は、携帯情報端末および通信制御方法に関し、複数の通信方式で通信可能な携帯情報端末およびその携帯情報端末で実行される通信制御方法に関する。
【背景技術】
【０００２】
携帯情報端末は、複数のアプリケーションプログラムを実行することが可能である。したがって、携帯情報端末に実行させるアプリケーションプログラムを特定するために、複数のアプリケーションプログラムのうちからいずれかを選択しなければならない。
【０００３】
特開２００５−２７７４６８号公報（特許文献１）には、実行するアプリケーションプログラムの選択を容易にした携帯情報端末が記載されている。この携帯情報端末は、第１ユニットと、第２ユニットと、前記第１ユニットに対して前記第２ユニットをスライド可能に係合する係合手段と、前記係合手段によってスライドされる前記第２ユニットをスライド可能範囲の途中で係止する係止手段と、前記係止手段により前記第２ユニットが係止された位置を検出する位置検出手段と、前記位置検出手段により検出された係止位置に応じて所定の機能を起動する機能制御手段とを具備したことを特徴とする。
【０００４】
一方、携帯情報端末は、ＣＤＭＡ（Ｃｏｄｅ  Ｄｉｖｉｓｉｏｎ  Ｍｕｌｔｉｐｌｅ  Ａｃｃｅｓｓ）等の通信方式と、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等の無線ＬＡＮ（Ｌｏｃａｌ  Ａｒｅａ  Ｎｅｔｗｏｒｋ）の通信方式との２種類の通信方式で通信可能なものがある。ＣＤＭＡ等の通信方式とＷｉＭＡＸ等の通信方式のいずれにおいても、通話のための音声通信と、データを送受信するためのデータ通信とが可能な場合がある。この場合、２種類の通信方式のいずれかをユーザが選択し、通信方式を切り換えなければならない。
【０００５】
携帯情報端末により実行されるアプリケーションプログラムは、音声通信またはデータ通信を使用するものがあり、実行されるアプリケーションプログラムによって、２種類の通信方式のいずれかで通信する方が通信速度等の効率面およびコスト面で都合がよい場合がある。したがって、ユーザは、携帯情報端末に実行させるアプリケーションプログラムに適合する通信方式が２種類の通信方式のいずれであるかを知らなければ、適切な通信方式を選択することができないといった問題がある。
【特許文献１】特開２００５−２７７４６８号公報
【発明の開示】
【発明が解決しようとする課題】
【０００６】
この発明は上述した問題点を解決するためになされたもので、この発明の目的の一つは、通信方式の切換操作を容易にした携帯情報端末および通信制御方法を提供することである。
【課題を解決するための手段】
【０００７】
上述した目的を達成するためにこの発明のある局面によれば、携帯情報端末は、第１筐体と、第１筐体と相対的に移動可能に連結された第２筐体と、第２筐体は、第１筐体との重なる面に第１部分と第２部分とを有し、第１部分が表出する第１の形状と、第２部分が表出する第２の形状とに形状を変化可能であり、第１の形状および第２の形状のいずれの形状であるかを検出する形状検出手段と、第１通信手段と、第１通信手段とは通信方式が異なり、電源が投入されている間は着信を受け付けることが可能な第２通信手段と、形状検出手段により検出された形状に基づいて、第１通信手段を用いて通信する第１通信モードと、第２通信手段を用いて通信する第２通信モードとのいずれかのモードに切り換えるモード切換手段と、第１通信モードにおいて第１通信手段を介して通話に関する着信を受け付けた場合は、第１の着信情報を表示し、第１通信モードにおいて第２通信手段を介して通話に関する着信を受け付けた場合は、第１の着信情報とは異なる第２の着信情報を表示する表示制御手段と、を備える。
【０００８】
この局面に従えば、携帯情報端末の形状に基づいて、第１通信手段を用いて通信する第１通信モードと、第２通信手段を用いて通信する第２通信モードとのいずれかのモードに切り換えられる。このため、携帯情報端末を使用する形状に応じた通信方式に切り換えられるので、ユーザは通信方式を切り換える必要がない。その結果、通信方式の切換操作を容易にした携帯情報端末を提供することができる。
【０００９】
好ましくは、第１部分は、文字を入力するための複数のボタンを有する。
【００１０】
この局面に従えば、携帯情報端末が第１の形状の場合は複数のボタンが表出するので、文字の入力が容易となる。例えば、携帯情報端末が文字の入力が要求されるアプリケーションプログラムを実行する場合に、携帯情報端末を第１形態にすれば文字の入力が容易になるとともに、そのアプリケーションプログラムが実行されることにより通信するのに適した通信方式に切り換えることができる。
【００１１】
好ましくは、携帯情報端末は、ユーザによる操作を受け付ける操作受付手段と、イヤホンマイクと接続される接続端子と、をさらに備え、モード切換手段は、第１の形状が検出されている場合、接続端子にイヤホンマイクが接続されているときは操作受付手段により受け付けられたモードに切り換え、イヤホンマイクが接続されていないときは第１通信モードに切り換える。
【００１２】
この局面に従えば、第１の形状が検出されている場合、イヤホンマイクが接続されていれば、ユーザにより選択された通信方式に切り換えられ、イヤホンマイクが接続されていなければ、通信モードが第１通信モードに切り換えられる。例えば、第１形状においてイヤホンマイクが接続されている場合において、音声を出力または入力する通話のためのアプリケーションプログラムが携帯情報端末によって実行されるときは、ユーザが通信方式を切り換えることができる。このため、音声を送受信する場合の利便性を向上させることができる。
【００１３】
好ましくは、携帯情報端末は、モード切換手段により前記第２通信モードに切り換えられている場合は、第１通信手段の駆動を禁止する駆動制御手段をさらに備える。
【００１４】
この局面に従えば、第２通信モードに切り換えられている場合、第１通信手段の駆動が禁止される。このため、第１通信手段により電力が消費されないので、消費電力を低減することができる。
この発明の他の局面によれば、通信制御方法は、第１筐体と、第１筐体と相対的に移動可能に連結された第２筐体と、第２筐体は、第１筐体との重なる面に第１部分と第２部分とを有し、第１部分が表出する第１の形状と、第２部分が表出する第２の形状とに形状を変化可能であり、第１通信手段と、第１通信手段とは通信方式が異なり、電源が投入されている間は着信を受け付けることが可能な第２通信手段と、を備えた携帯情報端末で実行される表示制御方法であって、形状検出手段により検出された形状に基づいて、第１通信手段を用いて通信する第１通信モードと、第２通信手段を用いて通信する第２通信モードとのいずれかのモードに切り換えるモード切換ステップと、第１通信モードにおいて第１通信手段を介して通話に関する着信を受け付けた場合は、第１の着信情報を表示し、第１通信モードにおいて第２通信手段を介して通話に関する着信を受け付けた場合は、第１の着信情報とは異なる第２の着信情報を表示する表示制御ステップと、を含む。
この局面に従えば、通信方式の切換操作を容易にした通信制御方法を提供することができる。
【発明を実施するための最良の形態】
【００１５】
以下、本発明の実施の形態について図面を参照して説明する。以下の説明では同一の部品には同一の符号を付してある。それらの名称および機能も同じである。したがってそれらについての詳細な説明は繰返さない。
【００１６】
図１〜図３は、本実施の形態における携帯情報端末１のスタイル別の外観を示す斜視図である。図１は、基本スタイルにおける携帯情報端末１の斜視図を示し、図２は、データ通信スタイルにおける携帯情報端末１の斜視図を示し、図３は、音声通話スタイルにおける携帯情報端末１の斜視図を示す。データ通信スタイルは第１の形状の一例であり、音声通話スタイルは、第２の形状の一例である。
【００１７】
図１〜図３を参照して、携帯情報端末１は、第１筐体４０Ａと第２筐体４０Ｂとを含む。第２筐体４０Ｂと第１筐体４０Ａとは相対的に移動可能に連結される。携帯情報端末１は、基本スタイルにおいて、第１筐体４０Ａが第２筐体４０Ｂの上に重なり、略直方体となる。携帯情報端末１が基本スタイルにある状態から第１筐体４０Ａが第２筐体４０Ｂに対して、第１筐体４０Ａと第２筐体４０Ｂとが重なる面に平行であって図１中の矢印３で示す短手方向にスライドすると、図２に示すデータ通信スタイルとなり、携帯情報端末１が基本スタイルにある状態から第１筐体４０Ａが第２筐体４０Ｂに対して、第１筐体４０Ａおよび第２筐体４０Ｂとが重なる面に平行であって図１中の矢印２で示す長手方向にスライドすると、図３に示す音声通話スタイルになる。
【００１８】
第１筐体４０Ａは、第２筐体４０Ｂと重なる面の反対側の面の表側に、レシーバとしてのスピーカ１１と、液晶表示装置（ＬＣＤ）１５と、を含む。第２筐体４０Ｂは、第１筐体４０Ａと重なる面にフルキーボードである操作キー１４と、十字キー１７と、マイク１３とを含み、側面にイヤホンマイクが挿入される接続端子１６と、電源スイッチ１８と、を含む。操作キー１４は、英数、かな、カタカナが割り当てられた複数のキーと、ファンクションキーが割り当てられた複数のキーとを含む。したがって、操作キー１４を操作することにより、文字、記号などを入力することができる。
【００１９】
十字キー１７は、上下左右にそれぞれ配置された４つのスイッチと、それらの中心に配置された決定キーとを有しており、ＬＣＤ１５に表示されるポインタを移動させる操作、またはＬＣＤ１５に表示されたメニュー項目を選択する操作を受け付ける。
【００２０】
図１を参照して、携帯情報端末１が基本スタイルのとき、第２筐体４０Ｂの第１筐体４０Ａと重なる面が第１筐体４０Ａによって覆われ、外部から隠される。
【００２１】
図２を参照して、携帯情報端末１がデータ通信スタイルのとき、第２筐体４０Ｂが第１筐体４０Ａと重なる面に有する第１部分４１が表出する。第１部分４１は、操作キー１４と、十字キー１７と、を含む。このため、データ通信スタイルは、電子メールの編集などの文字入力の多い作業をするのに適している。また、携帯情報端末１がデータ通信スタイルのとき、第２筐体４０Ｂが有するマイク１３は第１筐体４０Ａに覆われる。このため、音声を携帯情報端末１に入力することができない。しかしながら、接続端子１６にマイクイヤホン１６Ａを挿入すれば、携帯情報端末１がマイクイヤホン１６Ａと接続されるので、マイクイヤホン１６Ａから音声を入力することができる。
【００２２】
図３を参照して、携帯情報端末１が音声通話スタイルのとき、第２筐体４０Ｂが第１筐体４０Ａと重なる面に有する第２部分４２が表出する。第２部分４２は、マイク１３と、十字キー１７と、を含む。したがって、第１部分４１と第２部分４２とはともに、十字キー１７を含み、一部が重なる。一方、第１筐体４０Ａが有するスピーカ１１が表出しているので、携帯情報端末１が音声通話スタイルのとき、音声をスピーカ１１から出力するとともに、マイク１３から音声を入力することができる。このため、音声通話スタイルは電話で通話するのに適している。
【００２３】
図４は、本実施の形態における、携帯情報端末１のハードウェア構成の概要を示す機能ブロック図である。図４を参照して、携帯情報端末１は、携帯情報端末１の全体を制御するためのＣＰＵ２１と、アンテナ２２Ａと接続されたＷｉＭＡＸ通信部２２と、アンテナ２３Ａと接続されたＣＤＭＡ通信部２３と、音声データを処理するためのコーデック部２８と、コーデック部２８の入出力を切換えるための音声切換部２９と、それぞれが音声切換部２９に接続された、マイク１３、スピーカ１１および接続端子１６と、ユーザの操作の入力を受付ける操作キー１４および十字キー１７と、振動部２６と、第１スイッチ２４と、第２スイッチ２４Ａと、第３スイッチ２４Ｂと、電源スイッチ１８と、ＬＣＤ１５の表示を制御するための表示制御部３０と、ＣＰＵ２１で実行するためのプログラム（電子メール、アドレス帳データ）等を記憶するためのフラッシュＲＯＭ（Ｒｅａｄ  Ｏｎｌｙ  Ｍｅｍｏｒｙ）３１と、ＣＰＵ２１の作業領域として使用されるＲＡＭ（Ｒａｎｄｏｍ  Ａｃｃｅｓｓ  Ｍｅｍｏｒｙ）３２と、カードインターフェース（Ｉ／Ｆ）２７と、を含む。
【００２４】
ＷｉＭＡＸ通信部２２は、ＣＰＵ２１により制御され、ＷｉＭＡＸの通信方式のネットワークに接続する。ＷｉＭＡＸの通信方式は、Ｗｉｒｅｌｅｓｓ  ＭＡＮ（Ｍｅｔｒｏｐｏｌｉｔａｎ  Ａｒｅａ  Ｎｅｔｗｏｒｋ）とも呼ばれ、ＩＥＥＥ８０２．１６という都市規模のエリアを対象として高速無線通信を提供する規格である。ＷｉＭＡＸ通信部２２は、具体的には、ＷｉＭＡＸのネットワークに接続されたアクセスポイントと無線通信する。アクセスポイントが送信する無線信号は、アンテナ２２Ａにより受信される。ＷｉＭＡＸ通信部２２は、アンテナ２２Ａにより受信された無線信号が入力され、無線信号を復調した信号をＣＰＵ２１に出力する。ＷｉＭＡＸ通信部２２は、ＣＰＵ２１から送信信号が入力されると、その信号を変調した無線信号をアンテナ２２Ａに出力する。アンテナ２２Ａから送信される無線信号は、アクセスポイントで受信される。ＷｉＭＡＸの通信方式は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）による通信プロトコルが用いられるので、データを送受信する通信に適している。また、一般的に転送速度がＣＤＭＡの通信方式に比較して早く、通信コストが安い。このため、ストリーミング、ブラウジングなどの送受信するデータ量の多い通信をするのに適している。
【００２５】
なお、ここではＷｉＭＡＸ通信部２２が、ＷｉＭＡＸのネットワークに接続する例を示すが、無線ＬＡＮであれば、ＷｉＭＡＸのネットワークに限定されるものではなく、例えば、ＢＬＵＥＴＯＯＴＨ（登録商標）、ＷｉＦｉ（登録商標）等のネットワークであってもよい。
【００２６】
ＣＤＭＡ通信部２３は、ＣＰＵ２１により制御され、ＣＤＭＡの通信方式のネットワークに接続する。具体的には、ＣＤＭＡ通信部２３は、ＣＤＭＡのネットワークに接続された基地局装置と無線通信する。基地局装置が送信する無線信号は、アンテナ２３Ａにより受信される。ＣＤＭＡ通信部２３は、アンテナ２３Ａにより受信された無線信号が入力され、無線信号を復調した信号をＣＰＵ２１に出力する。無線信号を復調した信号が音声信号の場合、ＣＰＵ２１は、音声信号をコーデック部２８に出力する。
【００２７】
ＣＤＭＡ通信部２３は、ＣＰＵ２１から信号が入力されると、その信号を変調した無線信号をアンテナ２３Ａに出力する。ＣＰＵ２１は、コーデック部２８から音声信号が入力されると、音声信号をＣＤＭＡ通信部２３に出力する。アンテナ２３Ａから送信される無線信号は、ＣＤＭＡの基地局装置で受信され、ＣＤＭＡの基地局装置に入力される。ＣＤＭＡの通信方式は、音声を送受信する通信に適している。
【００２８】
なお、ここではＣＤＭＡ通信部２３が、ＣＤＭＡのネットワークに接続する例を示すが、ＰＤＣ（Ｐｅｒｓｏｎａｌ  Ｄｉｇｉｔａｌ  Ｃｅｌｌｕｌａｒ）方式、ＧＳＭ（Ｇｌｏｂａｌ  Ｓｙｓｔｅｍ  ｆｏｒ  Ｍｏｂｉｌｅ
）方式、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式のネットワーク、ＰＨＳ（Ｐｅｒｓｏｎａｌ  Ｈａｎｄｙｐｈｏｎｅ  Ｓｙｓｔｅｍ）のネットワークであってもよい。
【００２９】
コーデック部２８は、ＷｉＭＡＸ通信部２２またはＣＤＭＡ通信部２３から入力される音声信号を復号し、復号したデジタルの音声信号をアナログに変換し、増幅し、そして音声切換部２９に出力する。また、コーデック部２８は、音声切換部２９を介してマイク１３または接続端子１６から入力されたアナログの音声信号をデジタルに変換し、符号化し、そして符号化した音声信号をＷｉＭＡＸ通信部２２またはＣＤＭＡ通信部２３に出力する。
【００３０】
音声切換部２９は、ＣＰＵ２１により制御され、コーデック部２８への音声信号の入出力を切換える。音声切換部２９は、コーデック部２８から受け付けた音声信号を、接続端子１６、スピーカ１１のいずれかに出力する。接続端子１６にイヤホンマイク１６Ａが接続されている場合には、コーデック部２８から受け付けた音声信号を接続端子１６に出力し、接続端子１６にイヤホンマイク１６Ａが接続されていない場合は、コーデック部２８から受け付けた音声信号をスピーカ１１に出力する。
【００３１】
音声切換部２９は、マイク１３または接続端子１６のいずれかが出力する音声信号をコーデック部２８に出力する。音声切換部２９は、接続端子１６にイヤホンマイク１６Ａが接続されている場合は、接続端子１６から受け付けた音声信号をコーデック部２８に出力し、接続端子１６にイヤホンマイク１６Ａが接続されていない場合は、マイク１３から受け付けた音声信号をコーデック部２８に出力する。
【００３２】
表示制御部３０は、ＣＰＵ２１により制御され、ＣＰＵ２１から入力される指示に従ってＬＣＤ１５を制御して、ＬＣＤ１５に操作画面または画像を表示させる。ＬＣＤ１５に表示させる画像は、動画像と静止画像とを含む。
【００３３】
振動部２６は、ＣＰＵ２１により制御され、重心とは異なる位置がモータの軸に固定された振動板を回転させることにより、振動を発生する。ＣＰＵ２１は、例えば、無線回路２２または無線ＬＡＮ回路２３において着信信号を受信したときに、振動部２６を駆動させることにより、振動による着信報知動作を実行する。
【００３４】
第１スイッチ２４は、ＣＰＵ２１に接続され、携帯情報端末１がデータ通信スタイルの時にＯＮとなり、データ通信スタイルでないときにＯＦＦとなるスイッチであり、第２スイッチ２４Ａは、ＣＰＵ２１に接続され、携帯情報端末１が音声通話スタイルの時にＯＮとなり、音声通話スタイルでないときにＯＦＦとなるスイッチであり、第３スイッチ２４Ｂは、ＣＰＵ２１に接続され、携帯情報端末１が基本スタイルの時にＯＮとなり、基本スタイルでないときにＯＦＦとなるスイッチである。
【００３５】
カードＩ／Ｆ２７には、着脱可能なメモリカード２７Ａが装着される。メモリカード２７Ａは、例えば、ＣｏｍｐａｃｔＦｌａｓｈ、ＳｍａｒｔＭｅｄｉａ（登録商標）、ＳＤ（Ｓｅｃｕｒｅ  Ｄｉｇｉｔａｌ）メモリカード、メモリースティック、ＭＭＣ（ＭｕｌｔｉＭｅｄｉａ  Ｃａｒｄ）、ｘＤピクチャーカードなどである。
【００３６】
ＣＰＵ２１は、カードＩ／Ｆ２７を介して、メモリカード２７Ａにアクセスが可能である。なお、ここではＣＰＵ２１で実行するためのプログラムをフラッシュＲＯＭ３１に記憶しておく例を説明するが、プログラムをメモリカード２７Ａに記憶しておき、メモリカード２７Ａからプログラムを読み出して、ＣＰＵ２１で実行するようにしてもよい。プログラムを記憶する記録媒体としては、メモリカード２７Ａに限られず、フレキシブルディスク、カセットテープ、磁気ディスク、光ディスク（ＣＤ−ＲＯＭ（Ｃｏｍｐａｃｔ  Ｄｉｓｃ
−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭなどの半導体メモリ等でもよい。また、携帯情報端末１をインターネットにＷｉＭＡＸ通信部２２を介して接続し、インターネットに接続されたコンピュータからプログラムをダウンロードして、ＣＰＵ２１で実行するようにしてもよい。ここでいうプログラムは、ＣＰＵ２１により直接実行可能なプログラムだけでなく、ソースプログラム、圧縮処理されたプログラム、暗号化されたプログラム等を含む。
【００３７】
図５は、本実施の形態における、携帯情報端末１のＣＰＵの概要を示す機能ブロック図である。図５を参照して、ＣＰＵ２１は、携帯情報端末１の通信モードを切り換えるためのモード切換部５１と、携帯情報端末１の形状を検出するための形状検出部５３と、イヤホンマイク１６Ａが接続されたことを検出するための接続検出部５５と、ＷｉＭＡＸ通信部２２およびＣＤＭＡ通信部２３の駆動を制御するための駆動制御部５７と、ユーザによる操作を受け付けるための操作受付部５９と、を含む。
【００３８】
形状検出部５３は、第１スイッチ２４、第２スイッチ２４Ａおよび第３スイッチに接続され、それらの状態に基づいて、携帯情報端末１の形状を検出する。第１スイッチ２４の状態がＯＮであれば携帯情報端末１がデータ通信スタイルであることを検出し、第２スイッチ２４Ａの状態がＯＮであれば携帯情報端末１が音声通話スタイルであることを検出し、第３スイッチ２４Ｂの状態がＯＮであれば携帯情報端末１が基本スタイルであることを検出する。形状検出部５３は、検出した形状をモード切換部５１に出力する。
【００３９】
モード切換部５１は、形状検出部５３により検出された形状に応じて通信モードを切り換える。通信モードは、ＷｉＭＡＸ通信モードとＣＤＭＡ通信モードとを含む。ＣＰＵ２１は、ＷｉＭＡＸ通信モードにおいて、ＷｉＭＡＸの通信方式で通信する。具体的には、ＷｉＭＡＸ通信部２２を介してデータを送受信する。ＣＰＵ２１は、ＣＤＭＡ通信モードにおいて、ＣＤＭＡの通信方式で通信する。具体的には、ＣＤＭＡ通信部２３を介してデータを送受信する。モード切換部５１は、形状検出部５３によりデータ通信スタイルが検出される場合は、通信モードをＷｉＭＡＸ通信モードに切り換え、形状検出部５３により音声通話スタイルが検出される場合は、通信モードをＣＤＭＡ通信モードに切り換える。モード切換部５１は、切換後の通信モードを示す信号を駆動制御部５７に出力する。
【００４０】
接続検出部５５は、接続端子１６と接続され、接続端子１６にイヤホンマイク１６Ａが接続されたか否かを検出する。接続検出部５５は、イヤホンマイク１６Ａの接続の有無を、モード切換部５１に出力する。
【００４１】
操作受付部５９は、操作キー１４または十字キー１７と接続され、ユーザが操作キー１４または十字キー１７に入力する操作を受け付ける。
【００４２】
モード切換部５１は、形状検出部５３によりデータ通信スタイルが検出されていれば、
通信モードをＷｉＭＡＸ通信モードに切り換えるが、接続検出部５５により接続端子１６にイヤホンマイク１６Ａが接続されていることが検出されており、かつ、ユーザによりＣＤＭＡ通信モードが選択されたならばＣＤＭＡ通信モードに切り換える。具体的には、モード切換部５１は、ＬＣＤ１５に選択画面を表示する。そして、ユーザが操作キー１４または十字キー１７を用いて通信モードを選択する指示を操作受付部５９が受け付けると、選択された通信モードを示す信号を操作受付部５９から受け付ける。
【００４３】
図６は、選択画面の一例を示す図である。図６を参照して、選択画面は、「ＷｉＭＡＸ通信モード」の文字が表されたアイコンと、「ＣＤＭＡ通信モード」の文字が表されたアイコンとの２つを含む。ユーザが操作キー１４または十字キー１７を用いて、「ＷｉＭＡＸ通信モード」の文字が表されたアイコンを選択する操作を入力すると、操作受付部５９は、ＷｉＭＡＸ通信モードを選択する指示を受け付ける。ユーザが操作キー１４または十字キー１７を用いて、「ＣＤＭＡ通信モード」の文字が表されたアイコンを選択する操作を入力すると、操作受付部５９は、ＣＤＭＡ通信モードを選択する指示を受け付ける。
【００４４】
図５に戻って、モード切換部５１は、操作受付部５９からＷｉＭＡＸ通信モードを示す信号を受け付けるとＷｉＭＡＸ通信モードに切り換え、ＣＤＭＡ通信モードを示す信号を受け付けると、ＣＤＭＡ通信モードに切り換える。
【００４５】
駆動制御部５７は、モード切換部５１から入力される通信モードを示す信号に従って、ＷｉＭＡＸ通信部２２の駆動を制御する。モード切換部５１からＷｉＭＡＸ通信モードを示す信号が入力されると、ＷｉＭＡＸ通信部２２を駆動し、それを通信可能な状態にする。通信可能な状態とは、アクセスポイントまたは基地局装置とリンクされた状態である。モード切換部５１からＷｉＭＡＸ通信モードを示す信号が入力されなければ（ＣＤＭＡ通信モードを示す信号が入力される場合を含む）、ＷｉＭＡＸ通信部２２の駆動を停止し、それを通信できない状態にする。したがって、ＣＤＭＡ通信モードに切り換えられている間は、ＷｉＭＡＸ通信部２２が電力を消費しないので、消費電力を低減することができる。
【００４６】
さらに、駆動制御部５７は、携帯情報端末１電源がＯＮの場合、ＣＤＭＡ通信部２３を駆動し、それを通信可能な状態にする。したがって、ＣＤＭＡ通信部２３は、携帯情報端末１電源がＯＮの間、着呼を受信することができる状態である。
【００４７】
図７は、通信モード切換処理の流れの一例を示すフローチャートである。通信モード切換処理は、ＣＰＵ２１がモード切換プログラムを実行することにより、ＣＰＵ２１により実行される処理である。図７を参照して、ＣＰＵ２１は、ステップＳ０１において、電源がＯＮになったか否かを判断する。電源がＯＮになるまで待機状態となり（ステップＳ０１でＮＯ）、電源がＯＮになると処理をステップＳ０２に進める。すなわち、モード切換処理は、電源がＯＮになることを条件に実行される処理である。
【００４８】
ステップＳ０２においては、ＣＤＭＡ通信部２３を駆動する。これにより、ＣＤＭＡ通信部２３が通信可能な状態になる。したがって、ＣＤＭＡ通信部２３は、着呼を受信可能な待ち受け状態となる。
【００４９】
次のステップＳ０３においては、携帯情報端末１の形状を検出する。そして、ステップＳ０４においては、ステップＳ０３において検出された形状が基本スタイルか否かを判断する。検出された形状が基本スタイルであれば処理をステップＳ３１に進め、そうでなければ処理をステップＳ０５に進める。ステップＳ０５においては、ステップＳ０３において検出された形状がデータ通信スタイルか否かを判断する。検出された形状がデータ通信スタイルであれば処理をステップＳ０６に進め、そうでなければ処理をステップＳ２１に進める。すなわち、携帯情報端末１が基本スタイルならばステップＳ３１以降の処理が実行され、携帯情報端末１がデータ通信スタイルならばステップＳ０６以降の処理が実行され、携帯情報端末１が音声通話スタイルならばステップＳ２２以降の処理が実行される。
【００５０】
処理がステップＳ０６に進む場合、携帯情報端末１は、データ通信スタイルである。ステップＳ０６においては、イヤホンマイク１６Ａが接続端子１６に接続されているか否かを判断する。イヤホンマイク１６Ａが接続端子１６に接続されていれば処理をステップＳ０７に進め、そうでなければ処理をステップＳ０９に進める。
【００５１】
ステップＳ０７においては、図６に示した選択画面をＬＣＤ１５に表示し、通信モードを選択する指示を受け付けるまで待機する。そして、ステップＳ０８において、ユーザによりＷｉＭＡＸ通信モードが選択されたか否かを判断する。ユーザによりＷｉＭＡＸ通信モードが選択された場合は、処理をステップＳ０９に進め、そうでなければ処理をステップＳ２２に進める。このため、携帯情報端末１がデータ通信スタイルであって、イヤホンマイク１６Ａが接続端子１６に接続される場合、ユーザは、ＷｉＭＡＸ通信部２２とＣＤＭＡ通信部２３とのいずれを利用するかを選択することができる。
【００５２】
ステップＳ０９においては、ＷｉＭＡＸ通信部２２を駆動し、通信可能な状態にする。そして、ステップＳ１０において、通信モードをＷｉＭＡＸ通信モードに設定する。ＣＰＵ２１は、ＷｉＭＡＸ通信モードに設定されている間は、ＷｉＭＡＸの通信方式で通信する。
【００５３】
次のステップＳ１１においては、イヤホンマイク１６Ａが、第２筐体４０Ｂの有する接続端子１６に接続されているか否かを判断する。イヤホンマイク１６Ａが接続端子１６に接続されていれば処理をステップＳ１２に進め、そうでなければ処理をステップＳ１３に進める。ステップＳ１２においては、ＬＣＤ１５に第１メニュー画面を表示し、第１メニュー画面に含まれるメニュー項目のいずれかが選択されるまで待機する。ステップＳ１３においては、ＬＣＤ１５に第２メニューを表示し、第２メニュー画面に含まれるメニュー項目のいずれかが選択されるまで待機する。
【００５４】
図８（Ａ）は、第１メニュー画面の一例を示す図である。図８（Ａ）を参照して、第１メニュー画面は、「１．ブラウザ」、「２．電子メール」、「３．ストリーミング」および「４．ＶｏＩＰ電話」のメニュー項目を含む。ＣＰＵ２１は、「１．ブラウザ」のメニュー項目が選択されるとブラウザプログラムを実行し、「２．電子メール」のメニュー項目が選択されると電子メールを編集または送受信するためのメーラープログラムを実行し、「３．ストリーミング」のメニュー項目が選択されると動画データまたは音楽データを受信し、再生するストリーミングプログラムが実行され、「４．ＶｏＩＰ電話」のメニュー項目が選択されるとＶｏＩＰの通信プロトコルで通話するための通話プログラムを実行する。
【００５５】
図８（Ｂ）は、第２メニュー画面の一例を示す図である。図８（Ｂ）を参照して、第２メニュー画面は、「１．ブラウザ」、「２．電子メール」および「３．ストリーミング」のメニュー項目を含む。第２メニュー画面は、「ＶｏＩＰ電話」のメニュー項目を含まない点で、そのメニュー項目を含む第１メニュー画面と異なる。第２メニュー画面がＬＣＤ１５に表示されるのは、携帯情報端末１がデータ通信スタイルで、イヤホンマイク１３が接続端子１６に接続されていない場合である。この場合には携帯情報端末１は、音声を入力できないので、「ＶｏＩＰ電話」のメニュー項目を表示しないようにし、ＶｏＩＰの通信プロトコルで通話するための通話プログラムを実行しないようにしている。
【００５６】
図７に戻って、ステップＳ１４においては、ステップＳ１２またはステップＳ１３において、第１メニュー画面または第２メニュー画面に従ってユーザが選択したメニュー項目に対応するプログラムを選択する（ステップＳ１４）。そして、選択されたプログラムを実行する（ステップＳ１５）。各プログラムが実行されてデータ通信する場合は、ＷｉＭＡＸ通信部２２を介してＷｉＭＡＸの通信方式でデータが送受信される。
【００５７】
ステップＳ１６においては、携帯情報端末１の形状を検出する。そして、検出された形状が基本スタイルか否かを判断する（ステップＳ１７）。基本スタイルであれば処理をステップＳ１８に進め、そうでなければ処理をステップＳ１５に戻す。ＣＰＵ２１は、ステップＳ１８では、実行されているプログラムを終了する。すなわち、データ通信スタイルの間、ステップＳ１４において選択されたアプリケーションプログラムが実行されるが、基本スタイルに形状が変化すると、実行されているアプリケーションプログラムが終了する。このため、携帯情報端末１をデータ通信スタイルから基本スタイルに形状を変化させる操作で、アプリケーションプログラムが終了するので、ボタンを押下する操作等の特別な操作が不要になり、操作が簡略化される。
【００５８】
ステップＳ１９においては、ＷｉＭＡＸ通信部２２の駆動を停止し、処理をステップＳ３１に進める。このため、ＷｉＭＡＸ通信部２２で電力が無駄に消費されるのを回避することができる。
【００５９】
一方、ステップＳ２２においては、通信モードをＣＤＭＡ通信モードに設定する。そして、ステップＳ２３においては、ＷｉＭＡＸ通信部２２が駆動するのを禁止する。ＷｉＭＡＸ通信部２２が駆動していれば、停止させる。このため、ＷｉＭＡＸ通信部２２により電力が無駄に消費されるのを回避することができる。
【００６０】
次のステップＳ２４においては、ＬＣＤ１５にフラッシュＲＯＭ３１に予め記憶されたアドレス帳を表示する。アドレス帳は、通話相手の電話番号を含む。ステップＳ２５では、通話相手が選択されるまで待機状態となり（ステップＳ２５でＮＯ）、通話相手が選択されると（ステップＳ２５でＹＥＳ）、処理をステップＳ２６に進める。なお、アドレス帳から通話相手を選択する例を示したが、通信履歴をＬＣＤ１５に表示し、通信履歴から通話相手を選択するようにしてもよい。
【００６１】
ステップＳ２６においては、ステップＳ２５において選択された通話相手の電話番号に発信する。そして、相手先の携帯電話機と回線を接続する（ステップＳ２７）。ここでは、ＣＤＭＡ通信モードに設定されているので、ＣＤＭＡ通信部２３を介して、ＣＤＭＡの通信方式で回線が接続され、通話が可能となる。
【００６２】
次のステップＳ２８においては、携帯情報端末１の形状を検出する。そして、検出された形状が基本スタイルか否かを判断する（ステップＳ２９）。基本スタイルであれば処理をステップＳ３０に進め、そうでなければ処理をステップＳ２６に戻す。ステップＳ３０においては、ステップＳ２７において接続された回線を切断し、処理をステップＳ３１に進める。すなわち、音声通話スタイルの間、通話が継続されるが、基本スタイルに形状が変化すると、通話が終了する。このため、携帯情報端末１を音声通話スタイルから基本スタイルに形状を変化させる操作で、通話が終了するので、例えば、通話を終了させるためのボタンを押下する操作等の特別な操作が不要になり、操作が簡略化される。
【００６３】
ステップＳ３１においては、携帯情報端末１の電源スイッチ１８の状態がＯＦＦになったか否かを判断する。電源スイッチ１８の状態がＯＦＦになったならば処理をステップＳ３２に進め、そうでなければ処理をステップＳ０３に戻す。ステップＳ３２においては、ＣＤＭＡ通信部２３の駆動を停止させ、処理を終了する。
【００６４】
次に携帯情報端末１が着信を受ける場合の動作について説明する。上述したように、ＣＤＭＡ通信部２３は、携帯情報端末１の電源がＯＮの間駆動するが、ＷｉＭＡＸ通信部２２は、携帯情報端末１の通信モードがＷｉＭＡＸ通信モードの間だけ駆動する。携帯情報端末１は、データ通信スタイルのときだけＷｉＭＡＸ通信モードに切換わる。このため、携帯情報端末１が音声通話スタイルのときと、データ通信スタイルの時とで着信を受ける場合の動作が異なる。
【００６５】
図９は、音声通話スタイル時の着信処理の流れの一例を示すフローチャートである。着信処理は、ＣＰＵ２１が着信プログラムを実行することにより、ＣＰＵ２１により実行される処理である。図９を参照して、ＣＰＵ２１は、ステップＳ４１において、着信を受け付けたか否かを判断する。着信を受け付けるまで待機状態となり、着信を受け付けたならば処理をステップＳ４２に進める。携帯電話機１が音声通話スタイルの時、ＷｉＭＡＸ通信部２３は駆動していないので、ＣＤＭＡ通信部２３が着信を受信したか否かを判断する。
【００６６】
ステップＳ４２において、着信があった旨をＬＣＤ１５に表示をする。なお、着信があった旨をＬＣＤ１５に表示するのに代えて、またはそれに加えて、例えば、振動部２６を振動させたり、ランプを発光させたりしてもよい。次のステップＳ４３においては、応答を受け付けたか否かを判断する。例えば、十字キー１７の押下が検出されると応答を受け付ける。応答を受け付けたならば処理をステップＳ４４に進め、そうでなければ処理をステップＳ４９に進める。ステップＳ４９においては、着信の呼び出しが終了したか否かを判断する。着信の呼び出しが終了すれば処理を終了し、そうでなければ処理をステップＳ４３に戻す。
【００６７】
ステップＳ４４においては、発呼してきた相手先の携帯電話機と回線を接続する。ここでは、ＣＤＭＡ通信モードに設定されているので、ＣＤＭＡ通信部２３を介して、ＣＤＭＡの通信方式で回線が接続される。
【００６８】
次のステップＳ４５においては、通話が終了したか否かを判断する。通話の終了は、回線を接続していた相手方の携帯電話機により回線が切断されたことを検出した場合、またはユーザが十字キー１７に予め定められた終了キーを押下する操作が入力されたことを検出する場合である。通話が終了したと判断するならば処理をステップＳ４８に進め、そうでなければ処理をステップＳ４６に進める。
【００６９】
次のステップＳ４６においては、携帯情報端末１の形状を検出する。そして、ステップＳ４７において、検出された形状が基本スタイルか否かを判断する。基本スタイルであれば処理をステップＳ４８に進めるが、そうでなければ処理をステップＳ４５に戻す。ステップＳ４８においては、ステップＳ４４において接続された回線を切断し、処理を終了する。すなわち、通話が終了するまでの間、または音声通話スタイルの間通話が継続されるが、基本スタイルに形状が変化すると、通話が終了する。このため、携帯情報端末１を音声通話スタイルから基本スタイルに形状を変化させる操作で、通話が終了するので、通話を終了させるためのボタンを押下する操作等の特別な操作が不要になり、操作が簡略化される。
【００７０】
図１０は、データ通信スタイル時の着信処理の流れの一例を示すフローチャートである。上述したように携帯情報端末１がデータ通信スタイルのとき、ＷｉＭＡＸ通信部２２とＣＤＭＡ通信部２３とが駆動し、通信可能な状態となっている。したがって、携帯情報端末１がデータ通信スタイルのときは、ＷｉＭＡＸ通信部２２とＣＤＭＡ通信部２３とがそれぞれ着呼を受信する場合がある。
【００７１】
図１０を参照して、ＣＰＵ２１は、ＶｏＩＰ着信を受け付けたか否かを判断する（ステップＳ５１）。ＶｏＩＰ着信を受け付けたならば、処理をステップＳ５２に進め、そうでなければ処理をステップＳ７１に進める。ＷｉＭＡＸ通信部２２が着呼を受信したならばＷｏＩＰ着信を受け付けたと判断する。ステップＳ７１においては、ＣＤＭＡ着信を受け付けたか否かを判断する。ＣＤＭＡ着信を受け付けたならば、処理をステップＳ７２に進め、そうでなければ処理をステップＳ５１に戻す。ＣＤＭＡ通信部２３が着呼を受信をしたならばＣＤＭＡ着信を受け付けたと判断する。すなわち、データ通信スタイル時の着信処理は、ＷｉＭＡＸ通信部２２またはＣＤＭＡ通信部２３のいずれかが着呼を受信することを条件に実行される処理である。
【００７２】
ステップＳ５２においては、ＶｏＩＰ着信があった旨をＬＣＤ１５に表示をする。そして、イヤホンマイク１６Ａが接続端子１６に接続されているか否かを判断する。イヤホンマイク１６Ａが接続されていれば処理をステップＳ５４に進め、そうでなければ処理をステップＳ５５に進める。イヤホンマイク１６Ａが接続されていれば、データ通信スタイルであっても音声の入力が可能なので、イヤホンマイク１６Ａを用いて通話することができる。
【００７３】
ステップＳ５４では、応答を受け付けたか否かを判断する。例えば、十字キー１７の押下が検出されると応答を受け付ける。応答を受け付けたならば処理をステップＳ５６に進めるが、そうでなければ処理をステップＳ５５に進める。ステップＳ５５においては、着信の呼出が終了したか否かを判断する。呼出が終了した場合は、処理をステップＳ５１に戻し、そうでなければ処理をステップＳ５３に戻す。なお、イヤホンマイク１６Ａが接続されたことを検出することに応じて、回線を接続するようにしてもよい。この場合には、ステップＳ５４は不要である。
【００７４】
ステップＳ５６においては回線を接続し、ＶｏＩＰ通話を開始する。具体的には、ＷｉＭＡＸ通信モードに設定されているので、ＷｉＭＡＸ通信部２２を介して、ＷｉＭＡＸの通信方式で回線が接続され、通話が可能となる。そして、通話が終了したか否かを判断する（ステップＳ５７）。通話の終了は、回線を接続していた相手方の携帯電話機により回線が切断されたことを検出した場合、またはユーザが十字キー１７に予め定められた終了キーを押下する操作が入力されたことを検出する場合である。通話が終了したと判断するならば処理をステップＳ５８に進め、そうでなければ処理をステップＳ５９に進める。ステップＳ５８においては、回線を切断し、処理をステップＳ５１に戻す。
【００７５】
ステップＳ５９においては、携帯情報端末１の形状を検出する。そして、ステップＳ６０において、検出された形状が基本スタイルか否かを判断する。基本スタイルであれば処理をステップＳ６１に進めるが、そうでなければ処理をステップＳ５７に戻す。ステップＳ６１においては、ステップＳ５６において接続された回線を切断し、処理をステップＳ６２に進める。すなわち、通話が終了するまでの間またはデータ通話スタイルの間、通話が継続されるが、基本スタイルに形状が変化すると、通話が終了する。このため、携帯情報端末１を音声通話スタイルから基本スタイルに形状を変化させる操作で、通話が終了するので、終了キーを押下する操作等の特別な操作が不要になり、操作が簡略化される。
【００７６】
ステップＳ６２においては、ＷｉＭＡＸ通信部２２を停止し、処理を終了する。このため、ＷｉＭＡＸ通信部２２で電力が無駄に消費されるのを回避することができる。
【００７７】
一方、処理がステップＳ７２進む場合、ＣＤＭＡ通信部２３において着呼が受信された場合である。ステップＳ７２においては、ＣＤＭＡ着信があった旨をＬＣＤ１５に表示をする。次のステップＳ７３においては、携帯情報端末１の形状を検出する。そして、検出された形状が音声通話スタイルか否かを判断する（ステップＳ７４）。音声通話スタイルであれば処理をステップＳ７５に進め、そうでなければ処理をステップＳ８２に進める。ステップＳ７５においては、呼出が終了したか否かを判断する。呼出が終了した場合は、処理を終了し、そうでなければ処理をステップＳ７３に戻す。データ通信モードのまま、処理を終了するので、それまでデータ通信モードで実行されていたアプリケーションプログラムを継続して実行させることができる。
【００７８】
ステップＳ７５においては、通信モードをＣＤＭＡ通信モードに設定する。次のステップＳ７６においては、ＷｉＭＡＸ通信部２２を停止する。このため、ＷｉＭＡＸ通信部２２で電力が無駄に消費されるのを回避することができる。
【００７９】
ステップＳ７７〜ステップＳ８１の処理は、図９に示したステップＳ４４〜ステップＳ４８の処理とそれぞれ同じなので、ここでは説明を繰り返さない。
【００８０】
携帯情報端末１がデータ通信スタイルの時に、ＣＤＭＡ通信部２３が着信を受信すると、携帯情報端末１がデータ通信スタイルから音声通話スタイルに形状が変化すれば、ＣＤＭＡ通信モードに通信モードが切り換えられる。そして、ＣＤＭＡ通信部２３により回線が接続される。このため、携帯情報端末１の形状を音声通話スタイルにする簡単な操作で、呼び出しに応じることができる。
【００８１】
以上説明したように本実施の形態における携帯情報端末１は、第１筐体４０Ａと、第１筐体４０Ａとスライド可能に連結された第２筐体４０Ｂとからなり、第２筐体４０Ｂは、第１筐体４０Ａと重なる面に第１部分４１と第２部分４２とを有し、第１部分が表出するデータ通信スタイル（第１形状）と、第２部分４２が表出する音声通話スタイル（第２の形状）と、データ通信スタイルおよび音声通話スタイルのいずれでもない形状とに形状が変化する。そして、データ通信スタイルおよび音声通話スタイルのいずれの形状であるかが検出され、検出された形状に基づいて、ＷｉＭＡＸ通信部２２を用いて通信するＷｉＭＡＸ通信モードと、ＣＤＭＡ通信部２３を用いて通信するＣＤＭＡ通信モードとのいずれかの通信モードに切り換える。このため、携帯情報端末１の形状が変化することにより、形状に応じた通信方式に切り換えられる。ユーザは通信方式を切り換える必要がないので、通信方式の切換操作を容易にすることができる。
【００８２】
また、データ通信スタイルにおいて表出する第１部分は、文字を入力するための操作キー１４を有するので、文字の入力が容易となる。例えば、携帯情報端末１が文字の入力が要求されるアプリケーションプログラムを実行する場合に、そのアプリケーションプログラムが実行されることにより通信するのに適した通信方式に切り換えることができる。
【００８３】
また、データ通信スタイルの場合、接続端子１６にイヤホンマイク１６Ａが接続されていれば、ＭｉＭＡＸ通信モードとＣＤＭＡ通信モードのうちからユーザが選択した通信モードに切り換えられ、イヤホンマイク１６Ａが接続されていなければＷｉＭＡＸ通信モードに切り換えられる。例えば、データ通信スタイルにおいてイヤホンマイク１６Ａが接続されている場合において、ＶｏＩＰ電話として携帯情報端末１を機能させることができる。
【００８４】
さらに、ＣＤＭＡ通信モードに切り換えられている場合は、ＷｉＭＡＸ通信部２２の駆動を停止するので、ＷｉＭＡＸ通信部２２により電力が無駄に消費されるのを回避し、消費電力を低減することができる。
【００８５】
さらに、データ通信スタイルの場合、ＷｉＭＡＸ通信部２２およびＣＤＭＡ通信部２３の双方が駆動する。ＶｏＩＰ着信が受け付けられた場合は、イヤホンマイク１６Ａを接続することによってＶｏＩＰ通信による通話が可能となり、ＣＤＭＡ着信が受け付けられた場合は、音声通話スタイルに形状を変化させることによって、ＣＤＭＡ通信による通話が可能となる。このため、利便性を向上させることができる。
【００８６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８７】
【図１】携帯情報端末の基本スタイルにおける斜視図である。
【図２】携帯情報端末のデータ通信スタイルにおける斜視図である。
【図３】携帯情報端末の音声通話スタイルにおける斜視図である。
【図４】携帯情報端末のハードウェア構成の概要を示す機能ブロック図である。
【図５】本実施の形態における携帯情報端末のＣＰＵの概要を示す機能ブロック図である。
【図６】選択画面の一例を示す図である。
【図７】通信モード切換処理の流れの一例を示すフローチャートである。
【図８】第１メニュー画面および第２メニュー画面の一例を示す図である。
【図９】音声通話スタイル時の着信処理流れの一例を示すフローチャートである。
【図１０】データ通話スタイル時の着信処理流れの一例を示すフローチャートである。
【符号の説明】
【００８８】
１  携帯情報端末、１１  スピーカ、１３  マイク、１４  操作キー、１５  ＬＣＤ、１６  接続端子、１６Ａ  イヤホンマイク、１７  十字キー、１８  電源スイッチ、２１  ＣＰＵ、２２  ＷｉＭＡＸ通信部、２３  ＣＤＭＡ通信部、２４  第１スイッチ、２５  第２スイッチ、２６  振動部、２７  カードＩ／Ｆ、２７Ａ  メモリカード、２８  コーデック部、２９  音声切換部、３０  表示制御部、３１  フラッシュＲＯＭ、３２  ＲＡＭ、４０Ａ  第１筐体、４０Ｂ  第２筐体、４１  第１部分、４２  第２部分。
【図１】
0005529383.tif 000002
【図２】
0005529383.tif 000003
【図３】
0005529383.tif 000004
【図４】
0005529383.tif 000005
【図５】
0005529383.tif 000006
【図６】
0005529383.tif 000007
【図７】
0005529383.tif 000008
【図８】
0005529383.tif 000009
【図９】
0005529383.tif 000010
【図１０】
0005529383.tif 000011